(57)【要約】【課題】  従来の映像特性評価用信号では、光ディスク記録再生機等に搭載されているデジタル信号処理による画質補正回路の開発設計および映像機器製作に於ける映像特性評価が困難であり、評価に多大の時間を要し非効率であった。【解決手段】  映像信号のフィールドまたはフレーム内の少なくとも1水平走査区間以上の範囲を同一像信号領域とし、この同一映像信号領域内では、輝度映像信号の交流周波数が一定で且つ、交流成分の信号レベルが、画面の左方から右方に向かって一定の比率で増加あるいは減少させた部分を有する映像特性評価用信号発生器、または、映像特性評価用記録媒体によって、映像機器のデジタル信号処理によるノイズ低減、輪郭補償等の画質補正回路の効率的且つ高精度の映像特性評価を行う。【選択図】  図１
2006197332.tif 000002
【特許請求の範囲】
【請求項１】
映像信号のフィールド又はフレーム期間内の少なくとも１水平走査区間の範囲を同一映像信号の領域とし、各前記領域内では輝度映像信号の交流周波数が一定で且つ、輝度映像信号の交流成分の信号レベルが表示画面の左方から右方に向かって一定の比率で増加又は減少する特性を備えた映像特性評価用信号を用いて、前記表示画面上における前記映像信号の映像特性を評価して、前記映像信号を前記表示画面に出力する映像機器の映像特性を評価する映像特性評価方法であって、
前記映像特性評価用信号を生成する第１ステップと、
生成した前記映像特性評価用信号を前記映像機器の入力側に供給し、前記映像機器の出力側から出力する映像信号を前記表示画面上に表示する第２ステップと、
前記表示画面上に表示した前記映像信号が、所定の評価基準を満たすか否かを監視し、前記映像機器の映像特性を評価する第３ステップとを有することを特徴とする映像特性評価方法。
【請求項２】
前記第１ステップにおいて生成される映像特性評価用信号を、映像信号のフィールド又はフレーム区間内の少なくとも１水平走査区間の範囲を同一映像信号の領域とし、各前記領域内では輝度映像信号の交流周波数が一定で且つ、輝度映像信号の交流成分の信号レベルが表示画面の左方から右方に向かって一定の比率で増加又は減少する特性を備え且つ、前記表示画面の垂直方向に少なくとも２つの領域をそれぞれ配置し、前記少なくとも２つの領域内における輝度映像信号の周波数を相異させた映像特性評価用信号としたことを特徴とする請求項１記載の映像特性評価方法。
【請求項３】
請求項１又は請求項２記載の映像特性評価方法において使用される映像特性評価用信号を予め記録した記録領域を有することを特徴とする映像特性評価用記録媒体。
【請求項４】
基本クロックを生成出力するクロック生成部と、
前記基本クロックに基づいて、映像信号に関する水平同期信号及び垂直同期信号をそれ
ぞれ生成出力する同期信号生成部と、
表示画面上で表示される前記映像信号の階調評価を行うために用いられる階調評価用信
号について、各輝度映像信号周波数毎の１ライン分の階調評価用信号データをそれぞれ予
めメモリし、メモリした前記階調評価用信号データをそれぞれ、前記水平同期信号に同期
して前記基本クロックのタイミングで読み出すメモリと、
前記水平同期信号をクロックとして、前記垂直同期信号をリセット信号としてそれぞれ
供給され、１ライン分毎の前記階調評価用信号データの前記表示画面上における表示位置を示す制御信号を出力する制御信号生成部と、
前記制御信号に基づいて、前記メモリから出力する前記階調評価用信号データの中から
特定の前記階調評価用信号データを択一して、択一した前記階調評価用信号データを前記
水平同期信号及び前記垂直同期信号に同期して出力する信号選択部とを備えたことを特徴
とする映像特性評価信号発生装置。
【発明の詳細な説明】
【技術分野】
【０００１】
本発明はＶＴＲ、光ディスク記録再生機、光ディスクプレーヤー 及び、カメラ、ディスプレイ等の映像機器に内蔵し、ノイズ低減や輪郭補償を行う画質補正回路の動作確認や映像特性評価を行う映像特性評価方法、映像特性評価用記録媒体、映像特性評価信号発生装置に関する。
【０００２】
特に、輝度映像信号の周波数帯域に異なる階調特性を持たせた画質補正回路を有する映像機器に於いて、その周波数帯域毎に異なる階調特性の評価を高効率化する映像特性評価方法及び映像特性評価用記録媒体に関する。ここで「輝度映像信号」とは、輝度信号（Ｙ）又は、色差信号（Ｒ−Ｙ，Ｂ−Ｙ）を指す信号である。
【背景技術】
【０００３】
従来からＶＴＲ、光ディスク記録再生機、光ディスクプレーヤー及びカメラ、ディスプレイ等の映像機器の映像特性評価には、従来の映像特性評価用信号（図６）に示すように、画面の左から右にむかって輝度映像信号の直流レベルが連続的に変化するランプ信号ａや、輝度映像信号の直流レベルが階段状に変化するステアステップ信号ｂが用いられてきた。また輝度映像信号の周波数特性を評価する場合には、画面の左から右に向かって周波数をスポット的に変化させたマルチバースト信号ｃや、連続的に変化させたスィーパ信号ｄが用いられてきた。図６中、「Ｈ−ＳＹＮＣ」は水平同期信号を示しており、１水平走査期間はこの水平同期信号区間と水平走査区間とからなる。
【０００４】
こうした中、映像特性評価評価を一つの画面上で行い、評価の効率を向上させるために、多数の輝度映像信号周波数成分を一画面中にいくつかに分割して表示させる方法が提案されている。例えば特開平１１−１６８７６０号公報には、画面の上から下に向かって走査線毎に輝度映像信号周波数を段階的に変化させて一つの画面上で輝度映像信号の周波数特性評価を可能とする周波数特性評価用信号を提案し、また特開平０９−９８４４７号公報では、１画面中にランプ信号、マルチバースト、カラーバー画面、及びモノスコ信号等の構成要素を配置した多機能な映像特性評価用信号を提案している。
【０００５】
従来、ＶＴＲ、光ディスク記録再生機、光ディスクプレーヤー及びカメラ、ディスプレイ等の映像機器の画質を改善する為のノイズ低減、輪郭補償等の画質補正はアナログ信号処理回路を中心とした画質補正回路によって行われた。映像機器のこれら画質補正回路の映像特性評価では、映像信号発生器から図６に示す各信号ａ〜ｄを出力し、映像機器を通した信号を評価する事によって行なわれていた。
【０００６】
しかし、近年のデジタル技術の発達とともに、映像機器の画質補正の方法もより高度に発達し、映像信号劣化の少ないデジタル信号処理回路へと移行しており、その特徴を生かしたノイズ低減、輪郭補償等の画質補正回路の高性能化が図られている。一例として映像信号のノイズ低減に於けるデジタル信号処理回路では輝度映像信号系の映像回路に周波数帯域毎に異なる階調特性を持たせたデジタル信号処理回路を構成させ、輝度映像信号のノイズ成分の多く含まれる周波数帯域の階調特性を非線形化することで効果的にノイズを低減し、映像機器の高画質化を図る構造となっている。
【０００７】
このデジタル信号処理によるノイズ低減回路の具体的一例として特開２００４−２３２１７号公報では、輝度映像信号の任意のフレームに対して、ノイズ成分が少ない周波数帯域には線形な階調特性を持たせ、また、ノイズ成分の多く分布する周波数帯域にのみに非線形処理を施し、これをフィールドメモリーによって所定量遅延させ、次の映像フレームの映像信号と比較することでノイズ成分を抽出し、このノイズ成分に減衰処理を施した出力を、元の映像信号に乗ずることで、残像による画質劣化の少ないノイズ低減回路が提案されている。
【０００８】
この様なデジタル信号処理回路の評価を従来の映像特性評価用信号であるランプ信号ａ、ステアステップ信号ｂを使用した場合、これらの映像特性評価用信号は輝度映像信号の直流レベルのみの変化であるために、上記デジタル信号処理によるノイズ低減回路のように輝度映像信号の交流成分の周波数帯域と各々の交流信号レベルに対して、伝送特性が線形または非線形に変化する階調特性をもたせたデジタル信号処理回路の映像特性を評価する事は出来ない。
【０００９】
上記したマルチバースト信号ｃ、スィープ信号ｄ、更に特開平０９−９８４４７号公報で提案されている各映像特性評価用信号に於いても輝度映像信号の交流信号レベルが一定で、輝度映像信号周波数のみが変化する映像特性評価用信号であるため、同様にデジタル信号処理回路の映像特性を評価する事は不可能である。更に、特開平１１−１６８７６０号公報で提案されている映像特性評価用信号に於いても輝度映像信号の周波数帯域は広範囲に変化する内容となっているが交流信号レベルが一定であり、同様にデジタル信号処理回路の映像特性を評価する事は不可能である。また、従来の映像特性評価用信号を使用し、デジタル信号処理回路の映像特性を評価する方法としては、映像特性評価用信号発生器から出力される輝度映像信号の各周波数帯域の交流信号レベルを逐一微調整する事によって少しずつ変化させ階調特性を評価する方法があるが調整作業が繁雑となり極めて効率が悪かった。
【００１０】
従来、マルチバースト信号ｃ、スィープ信号ｄ、更に特開平１１−１６８７６０号公報で提案されている各映像特性評価用信号で画質補正回路の周波数特性を評価する場合、これらの映像特性評価用信号の輝度映像信号レベルが一定で周波数が変化する内容であるために、映像特性評価用信号発生器より入力される輝度映像信号レベルを微調整によって３段階（入力レベル１〜３）に変化するパラメータとして、横軸を輝度映像信号周波数、縦軸を輝度映像信号出力レベルとして測定データを表現していた（図７（ａ）に示す「周波数特性評価結果」）。
【００１１】
しかし、デジタル信号処理回路による画質補正回路の各周波数帯域に於ける階調を中心とした映像特性評価結果を測定データとして表現する場合、ノイズ低減の例では、パラメータの輝度映像信号周波数設定は、ノイズ成分の多く含まれる周波数帯域の階調特性を非線形化し、ノイズ成分が少ない周波数帯域には線形な階調特性を持たせている為に、双方が対比して表現されるとその内容が把握しやすい。
【００１２】
即ち、パラメータを輝度映像信号周波数として横軸を輝度映像信号入力レベル、縦軸を輝度映像信号出力レベルとして測定データを表現する必要がある（図７（ｂ）に示す「階調特性評価結果」）。
【００１３】
上記した「階調特性評価結果」は、特開平１１−１６８７６０号公報にて提案されている映像特性評価用信号の輝度映像信号レベルを小レベル、中レベル、そして最大レベルとステップ状に３段階（周波数１〜３）に変化させたものである。しかし、この映像特性評価用信号の輝度映像信号レベルをステップ状に３段階に変化させたものでは信号レベル設定数が極端に少なく、映像補正処理回路の階調特性を高精度に評価する事は不可能であった。
【特許文献１】特開平１１−１６８７６０号公報
【特許文献２】特開平０９−９８４４７号公報
【特許文献３】特開２００４−２３２１７号公報
【発明の開示】
【発明が解決しようとする課題】
【００１４】
そこで本発明は、近年、映像機器の高画質化を目的として用いられているノイズ低減、輪郭補償等のためのデジタル信号処理回路の伝送特性評価を可能とし、これを効率的に行うために、特に映像機器のデジタル信号処理により新たに必要となった輝度映像信号の各周波数帯域に於ける階調特性の評価に着目した特性を有する映像特性評価信号を用いて、映像機器の映像特性評価を行う映像特性評価方法、前記映像特性評価信号を記録した映像特性評価用記録媒体、前記映像特性評価信号を生成出力する映像特性評価信号発生装置を提供することを目的とする。
【課題を解決するための手段】
【００１５】
上記課題を解決するために、本発明は、以下の（ａ）〜（ｄ）の手段を提供する。
（ａ）  図１，図２に示すように、映像信号のフィールド又はフレーム期間内の少なくとも１水平走査区間の範囲を同一映像信号の領域（画面部分Ｄ２）とし、各前記領域内では輝度映像信号の交流周波数が一定で且つ、輝度映像信号の交流成分の信号レベルが表示画面Ｄの左方から右方に向かって一定の比率で増加又は減少する特性を備えた映像特性評価用信号を用いて、前記表示画面上における前記輝度映像信号の映像特性を評価して、前記輝度映像信号を前記表示画面Ｄに出力する映像機器の映像特性を評価する映像特性評価方法であって、
前記映像特性評価用信号（階調特性評価信号）を生成する第１ステップと、
生成した前記映像特性評価用信号を前記映像機器の入力側に供給し、前記映像機器の出力側から出力する映像信号を前記表示画面Ｄ上に表示する第２ステップと、
前記表示画面Ｄ上に表示した前記輝度映像信号が、所定の評価基準を満たすか否かを監視し、前記映像機器の映像特性を評価する第３ステップとを有することを特徴とする映像特性評価方法。
（ｂ）  図３，図４に示すように、前記第１ステップにおいて生成される映像特性評価用信号を、輝度映像信号のフィールド又はフレーム期間内の少なくとも１水平走査区間の範囲を同一輝度映像信号の領域とし、各前記領域内では輝度映像信号の交流周波数が一定で且つ、輝度映像信号の交流成分の信号レベルが表示画面の左方から右方に向かって一定の比率で増加又は減少する特性を備え且つ、前記表示画面の垂直方向に少なくとも２つの領域をそれぞれ配置し、前記少なくとも２つの領域内における輝度映像信号の周波数を相異させた映像特性評価用信号（広帯域階調特性評価信号）としたことを特徴とする請求項１記載の映像特性評価方法。
（ｃ）  請求項１又は請求項２記載の映像特性評価方法において使用される映像特性評価用信号を予め記録した記録領域（データ領域）を、有することを特徴とする映像特性評価用記録媒体（光ディスク、磁気テープ）。
（ｄ）  基本クロックを生成出力するクロック生成部２と、
前記基本クロックに基づいて、映像信号に関する水平同期信号及び垂直同期信号をそれぞれ生成出力する同期信号生成部３と、
表示画面上で表示される前記映像信号の階調評価を行うために用いられる階調評価用信号について、各輝度映像信号周波数毎の1ライン分の階調評価用信号データをそれぞれ予めメモリし、メモリした前記階調評価用信号データをそれぞれ、前記水平同期信号に同期して前記基本クロックのタイミングで読み出すメモリ（ラインデータ用メモリー）１ａ〜１ｎと、
前記水平同期信号をクロックとして、前記垂直同期信号をリセット信号としてそれぞれ供給され、１ライン分毎の前記階調評価用信号データの前記表示画面上における表示位置を示す制御信号を出力する制御信号生成部（ラインカウンタ）４と、
前記制御信号に基づいて、前記メモリから出力する前記階調評価用信号データの中から特定の前記階調評価用信号データを択一して、択一した前記階調評価用信号データを前記水平同期信号及び前記垂直同期信号に同期して出力する信号選択部５とを備えたことを特徴とする映像特性評価信号発生装置。
【発明の効果】
【００１６】
本発明によれば、ノイズ低減、輪郭補償等の画質補正回路で多く用いられる輝度映像信号の周波数帯域毎に異なる階調特性を持たせたデジタル信号処理回路内蔵のＶＴＲ、光ディスク記録再生機、光ディスクプレーヤー 及び、カメラ、ディスプレイ等の映像機器の詳細な伝送特性評価を可能とし、これを容易に且つ、効率的に行うことが出来る。
【発明を実施するための最良の形態】
【００１７】
以下、本発明を実施するための最良の形態について、図１〜図５を参照して説明する。
上記した課題を解決するための手段として、具体的には、デジタル信号処理によるノイズ低減、輪郭補償等の画質補正回路の映像特性評価を行うには、デジタル信号処理を行う輝度映像信号の各周波数帯域に対して階調特性が詳細に評価できる必要があり、デジタル信号処理される輝度映像信号の各周波数帯域に対して最小信号レベルから最大信号レベルまでの階調範囲で画面の左方から右方に向かって一定の比率で増加あるいは減少させた映像評価用信号であれば良い。
【００１８】
図１は本発明に係る映像特性評価用信号の一例である階調特性評価信号を説明するための図、図２は階調特性評価信号（図１）を画面上に表示した状態を示す図、図３は本発明に係る映像特性評価用信号の他の例である広帯域階調特性評価信号を説明するための図、図４は広帯域階調特性評価信号（図３）を画面上に表示した状態を示す図、図５は本発明の映像特性評価信号発生装置の一実施例ブロック構成図である。図１〜図５中、ａ１，ｃ１はそれぞれランプ信号（ランプ信号ａ１はランプ信号ａ（図６）と同一）、ｂ１は階調評価用信号、ａ２，ｂ２，ｃ２はそれぞれ広帯域階調特性評価信号の最低周波信号部分，最低周波信号部分よりも高い周波数の低周波信号部分，最高周波信号部分、１ａ〜１ｎはそれぞれラインデータ用メモリー１〜ｎ、２は基本クロック生成部、３は同期信号生成部、４はラインカウンタ、５は信号選択部、６はＤ／Ａ変換装置、７はアナログ出力部、８はデジタル出力部、Ａは映像特性評価信号発生装置、Ｄは画面、Ｄ１〜Ｄ６はそれぞれ画面部分である。
【００１９】
図１は本発明に係る映像特性評価用信号の一例である階調特性評価信号波形を示しており、この階調特性評価信号は、階調評価用信号ｂ１とランプ信号波形ａ１，ｃ１とを次のように組み合わせてなるものである。即ち、図１，図２に示すように、１つの画面Ｄを垂直方向に３分割した画面部分Ｄ１〜Ｄ３の中間に位置する画面部分Ｄ２に表示される階調評価用信号ｂ１は、図示せぬ映像機器に於ける画質補正回路の映像特性評価用信号として映像信号の少なくとも１フレームあたり１００水平走査区間以上（例えば、１Ｈ単位、２Ｈ単位、３Ｈ単位、‥。Ｈ：水平走査期間）の範囲を同一輝度映像信号領域とし、この範囲に挟まれた区間の輝度映像信号周波数が同一で交流信号レベルが一定の比率で、画面Ｄ左側の最小レベルから右側の最大レベルに増大する映像評価用信号波形を示す。
【００２０】
残りの分割部分である画面部分Ｄ１，Ｄ３にそれぞれ表示されるのはランプ信号波形ａ１，ｃ１を示し輝度映像信号の直流信号レベルの階調評価用信号としたものである。
デジタル信号処理による画質補正回路の非線形周波数帯域と階調評価用信号ｂの輝度映像信号周波数とを一致させる事によって、画質補正回路の階調特性を効率的に評価することが出来る。
【００２１】
尚、階調評価用信号ｂ１は、映像機器のデジタル信号処理回路の非線形周波数帯域が１領域のみである場合に使用される信号であり、主として量産された画質補正回路を有する映像機器の動作確認に有効な信号である。また、ランプ信号波形ａ１，ｃ１と階調評価用信号ｂ１とを組み合わせたこの映像特性評価用信号（階調特性評価信号）は、画質補正回路を設計する際にも有効であり、階調評価用信号ｂ１に使用される輝度映像信号の周波数帯域に非線形信号処理回路を設定すれば、この輝度映像信号の階調特性を評価することで画質補正回路が正しく動作しているかを確認できる。
【００２２】
更に、この映像特性評価用信号は、階調評価用信号ｂ１に示した波形だけでなく、直流レベルが一定で輝度映像信号周波数が同一で振幅が一定の比率で画面Ｄの左側から右側に増大し変化する交流信号を重畳した信号また、ステアステップ信号のように直流レベルが階段状に変化する信号に輝度映像信号周波数が同一で振幅が一定の比率で左側から右側に増大し変化する交流信号を重畳した信号等、評価する映像機器の輝度映像信号の階調特性評価が目的であれば直流レベルの変化パターンはこの階調評価用信号ｂ１の例に限らず、直流レベルの階調特性評価も同時に行う事が出来る。
【００２３】
更に、階調評価用信号ｂ１のように輝度映像信号周波数が同一で振幅が一定の比率で左側から右側に増大するだけでなく、反対に画面Ｄの左から右に向かって一定比率で小さくなる交流信号であっても良い。また、ランプ信号部分（ａ１及びｃ１）にはあえて階調評価用信号ｂ１とは異なる信号を配置したが、全画面Ｄ（Ｄ１〜Ｄ３）に階調評価用信号ｂ１と同じ信号を配置すれば、測定用の水平走査線を選択することなく、画質補正回路の輝度映像信号階調特性評価が可能である。
【００２４】
図３は本発明に係る映像特性評価用信号の他の例である広帯域階調特性評価信号を示しており、この広帯域階調特性評価信号は、広帯域階調特性評価信号の最低周波信号部分ａ２，最低周波信号部分ａ２よりも一段高い周波数の低周波信号部分ｂ２，‥，最高周波信号部分ｃ２から構成される。即ち、図３，図４に示すように、画面Ｄの垂直方向に少なくともの２つ以上の周波数領域を配置した例の一つを示し、多数の周波数帯域に分割した中の３領域（この例では、４８の画面部分Ｄ４〜Ｄ６のうちの画面部分Ｄ４，Ｄ５，Ｄ６）を示し、夫々異なる輝度映像信号周波数帯域の階調評価用信号を表したものである。各々の水平同期信号に挟まれた区間の輝度映像信号周波数は同一で交流信号レベルが一定の比率で画面Ｄの左側の最小レベルから右側の最大レベルに増大する映像評価用信号波形（広帯域階調特性評価信号）を示す。具体的には、画面部分Ｄ４には最低周波信号部分ａ２が位置しており、同様に、画面部分Ｄ５には低周波信号部分ｂ２が、画面部分Ｄ６には最高周波信号部分ｃ２が、それぞれ位置している。
【００２５】
多数の輝度映像信号周波数帯域を設けた階調評価用信号は、デジタル信号処理によるノイズ低減、輪郭補償等の画質補正を多くの周波数帯域で行う映像機器開発設計時に有効であり、階調評価用信号が画面縦方向に周波数帯域順に多分割すれば画質補正回路の線形、非線形双方の階調特性評価を同時に行う事が出来、作業効率を大きく改善する事が出来る。
【００２６】
同時にフィールド単位または、フレーム単位に画面上部が輝度映像信号の低周波帯域、画面Ｄの下部が高周波帯域の順に階調評価用映像信号が構成した場合、モニターテレビ画面Ｄ上では縞模様のパターンとして映像補正処理回路の輝度信号の階調特性を目視的に観測することが出来る。この場合、他の周波数帯域部分に対して非線形部分では画面の縞模様が消失、または強調されるために、その周波数帯域と階調再現性の状況を特定しやすい。
【００２７】
本願に規定される階調評価用信号を使用してＶＴＲ、光ディスク記録再生機、光ディスクプレーヤー及びカメラ、ディスプレイ等の映像機器の輝度映像信号階調特性を測定評価する場合、階調評価用信号の発生部とアナライザ、計測器等解析部を組み合わせた測定器とこれら映像機器を接続し、測定する方法、また、これら映像機器に階調評価信号発生部を内蔵し、アナライザ計測器等を接続し測定する方法、更に簡略的にはモニターテレビを接続し、画面で階調評価信号の縞模様パターンを観測する方法等がある。しかし、ＶＴＲ、光ディスク記録再生機、光ディスクプレーヤー等では、映像記録媒体を再生する時に画質補正回路の効果が発揮されるよう設定されている。
【００２８】
従って、実際に画質補正回路を通過する映像記録媒体の再生信号は、再生磁気ヘッドからの再生信号、レーザーピックアップからの再生信号等、映像記録媒体から読み出されたノイズ、ジッター等を含んだエンコード信号である。従って、それぞれの映像記録媒体の記録再生規格に準拠するデコーダを経た上で画質補正回路を通過した階調評価用信号の測定値と、階調評価信号発生器の信号をエンコーダ及びデコーダ等電気系のみを介して画質補正回路を通過した階調評価用信号の測定値とでは、微妙に異なってしまう場合がある。
【００２９】
この場合、本願により提案するＶＴＲ、光ディスク記録再生機、光ディスクプレーヤー等で使用する記録媒体に評価用信号を記録した評価用記録媒体を用いることで実際の使用状態に等しい映像特性測定を可能とするものである。
【００３０】
（実施例１）
図２は、図１で示した階調評価用信号の画面Ｄで画面縦方向に３分割した領域（画面部分）Ｄ１〜Ｄ３が有る。水平同期信号に挟まれた区間の周波数が同一で交流振幅が一定の比率で画面Ｄの左側から右側に増大する階調特性評価用信号波形部分（階調評価用信号ｂ１）が画面中段（画面部分Ｄ２）にあたり、また、ランプ信号部分（ランプ信号波形ａ１，ｃ１）は、画面の上下部分（画面部分Ｄ１，Ｄ３）に設定した例である。
【００３１】
（実施例２）
図４は、画面Ｄを４８の周波数帯域領域（画面部分）Ｄ４〜Ｄ６に分割した広帯域階調評価用信号を用いた例であり、各々の水平同期区間領域の輝度映像信号周波数は４８通りに設定されており、画面Ｄ上部から下部に行くに従って輝度信号周波数が高くなる設定で且つ、画面Ｄ左側から右側に行くに従い一定比率で交流信号レベルが最小レベルから最大レベルまで変化する。
【００３２】
図３に示した広帯域階調評価用信号波形の最低周波信号領域（最低周波信号部分ａ２）は画面部分Ｄ４の位置にある。中間周波数部分（最低周波信号部分ａ２よりも一段高い周波数の低周波信号ｂ２）が画面部分Ｄ５の位置にあり、画面Ｄの最下部で最も高周波域の４８番目の領域（最高周波信号部分ｃ２）が画面部分Ｄ６の位置にあるとした例である。
【００３３】
尚、図３、図４は、輝度映像信号周波数ステップを４８段階に設定した例であるが、この例に限らず有効走査線数内で周波数帯域数を変えても良く、時間単位に画面の分割数、周波数帯域数を変化させても良く、更に、１水平走査区間を多分割し、更に多くの周波数ステップを設けても良い。
【００３４】
また、１水平区間の階調評価信号の交流信号レベル変化も画質補正回路の非線形及び線形動作レベルに合わせて最小信号レベルと最大信号レベルを設定し、画面左側から右側に、または右側から左側に対して一定比率で変化する信号であっても良い。
【００３５】
次に上記した階調特性評価信号（図１）を用いた映像特性評価方法を説明する。
即ち、映像信号のフィールド又はフレーム期間内の少なくとも１水平走査期間の範囲を同一輝度映像信号の領域とし、各前記領域内では輝度映像信号の交流周波数が一定で且つ、輝度映像信号の交流成分の信号レベルが表示画面の左方から右方に向かって一定の比率で増加又は減少する特性を備えた映像特性評価用信号を用いて、前記表示画面上における前記映像信号の映像特性を評価して、前記映像信号を前記表示画面に出力する前記映像機器の映像特性を評価する映像特性評価方法である。そして映像特性評価方法は、主に次の３つの手順（第１ステップ〜第３ステップ）をもって実行される。
・第１ステップ：前記映像特性評価用信号を生成するステップ。
・第２ステップ：第１ステップにて生成した前記映像特性評価用信号を前記映像機器の入力側に供給し、前記映像機器の出力側から出力する映像信号を前記表示画面上に表示するステップ。
・第３ステップ：前記表示画面上に表示した前記映像信号が、所定の評価基準を満たすか否かを監視し、前記映像機器の映像特性を評価する第３ステップ。
【００３６】
また、上記した広帯域階調特性評価信号（図３）を用いた映像特性評価方法を説明する。
即ち、映像信号のフィールド又はフレーム区間内の少なくとも１水平走査区間の範囲を同一輝度映像信号の領域とし、各前記領域内では輝度映像信号の交流周波数が一定で且つ、輝度映像信号の交流成分の信号レベルが表示画面の左方から右方に向かって一定の比率で増加又は減少する特性を備え且つ、前記表示画面の垂直方向に少なくとも２つの領域をそれぞれ配置し、前記少なくとも２つの領域内における輝度映像信号の周波数を相異させた映像特性評価用信号を用いて、前記表示画面上における前記映像信号の映像特性を評価して、前記映像信号を前記表示画面に出力する前記映像機器の映像特性を評価する映像特性評価方法である。そしてこの映像特性評価方法は、主に次の３つの手順（第１ステップ〜第３ステップ）をもって実行される。
・第１ステップ：前記映像特性評価用信号を生成するステップ。
・第２ステップ：第１ステップにて生成した前記映像特性評価用信号を前記映像機器の入力側に供給し、前記映像機器の出力側から出力する映像信号を前記表示画面上に表示するステップ。
・第３ステップ：前記表示画面上に表示した前記映像信号が、所定の評価基準を満たすか否かを監視し、前記映像機器の映像特性を評価する第３ステップ。
【００３７】
さらに、上記した階調特性評価信号（図１）又は広帯域階調特性評価信号（図３）を予め記録したデータ領域を有する光ディスク（又は磁気テープ）を再生して、この再生した映像信号を用いて上記した映像特性評価方法にて上述した映像特性評価を行うことができる。
【００３８】
この光ディスク（又は磁気テープ）のデータ領域には、階調特性評価信号（図１）だけ、広帯域階調特性評価信号（図３）だけ、階調特性評価信号（図１）と広帯域階調特性評価信号（図３）とが共に記録されるものであっても良い。
【００３９】
ここで、本発明の映像特性評価信号発生装置の一実施例について、図５を用いて説明す
る。
【００４０】
同期信号生成部３は、基本クロックを元に、水平同期用パルスｈ 及び垂直同期用パル  スｖを生成する。ラインデータ用メモリー１ａ〜１ｎには、予め計算等で得た各輝度映像信号周波数毎の１ライン分の階調評価用信号データが保存してある。ラインデータ用メモリー１ａ〜１ｎには、基本クロックがデータの読み出し用クロックとして、水平同期用パルスが読み取りアドレスのリセット信号として作用しており、全てのメモリーが同期した状態で信号を出力している。ラインカウンタ４には、水平同期用パルスｈがクロック信号として、垂直同期用パルスｖがリセット信号として作用しており、出力すべき信号のライン位置を信号選択部５への制御信号として出力する。信号選択部５は、ラインカウンタ４よりの制御信号により、出力される信号のライン位置に対応したラインデータ用メモリー１ａ〜１ｎのいずれかのメモリーからの映像信号を選択し、同期信号と合成して出力する。アナログ信号出力部７は、信号選択部５の出力信号をＤ／Ａ変換装置６に通したものを、デジタル信号出力部８は信号選択部５の出力信号を直接出力する。
【００４１】
上記したことを換言すれば次の通りである。即ち、クロック生成部２は基本クロックを生成出力する。同期信号生成部３は前記基本クロックに基づいて、映像信号に関する水平同期信号及び垂直同期信号をそれぞれ生成出力する。
【００４２】
ラインデータ用メモリー１ａ〜１ｎは画面Ｄ上で表示される前記映像信号の階調評価を
行うために用いられる階調評価用信号について、各輝度映像信号周波数毎の1ライン分の
階調評価用信号データをそれぞれ予めメモリし、メモリした前記階調評価用信号データを
それぞれ、前記水平同期信号に同期して前記基本クロックのタイミングで読み出す。
【００４３】
ラインカウンタ（制御信号生成部）４は前記水平同期信号をクロックとして、前記垂直
同期信号をリセット信号としてそれぞれ供給され、１ライン分毎の前記階調評価用信号デ
ータの前記画面上における表示位置を示す制御信号を出力する。
【００４４】
信号選択部５は前記制御信号に基づいて、前記メモリから出力する前記階調評価用信号
データの中から特定の前記階調評価用信号データを択一して、択一した前記階調評価用信
号データを前記水平同期信号及び前記垂直同期信号に同期して出力する。
【図面の簡単な説明】
【００４５】
【図１】本発明に係る映像特性評価用信号の一例である階調特性評価信号を説明するための図。
【図２】図１に示した階調特性評価信号を画面上に表示した状態を示す図。
【図３】本発明方法に用いられる映像特性評価用信号の他の例である広帯域階調特性評価信号を説明するための図。
【図４】図３に示した広帯域階調特性評価信号を画面上に表示した状態を示す図。
【図５】本発明の映像特性評価信号発生装置の一実施例ブロック構成図。
【図６】従来の映像特性評価用信号を説明するための図。
【図７】図６に示した映像特性評価用信号を使用した場合の周波数特性評価結果、階調特性評価結果をそれぞれ示す図。
【符号の説明】
【００４６】
１ａ〜１ｎ  ラインデータ用メモリー（メモリ）
２  基本クロック生成部（クロック生成部）
３  同期信号生成部
４  ラインカウンタ（制御信号生成部）
５  信号選択部
Ｄ  画面（表示画面）
【図１】
2006197332.tif 000003
【図２】
2006197332.tif 000004
【図３】
2006197332.tif 000005
【図４】
2006197332.tif 000006
【図５】
2006197332.tif 000007
【図６】
2006197332.tif 000008
【図７】
2006197332.tif 000009